(57)【要約】      （修正有）【課題】保持が確実に行えるのみならず、保持状態を解除するときもきわめて容易に行えるホルダーを提供する。【解決手段】ホルダーは、壁面若しくは床面や天井などに固定される基台１０と、当該基台に形成された断面Ｃの字状の溝と、Ｕの字の両先端が前記Ｃの字状溝の長手方向に移動できるように内包された複数のＵの字状の板バネ３０と、前記Ｃの字状溝の両端を閉止して、前記板バネ３０の当該溝からの脱落を阻止する止め部材２０とからなり、互いに隣接するＵの字状の板バネ３０間に被保持部材を挟み込んで保持するようにしたことを特徴とするものであり、前記Ｕの字状の板バネ３０は、自由状態で長手方向中央部を部分円弧状の頂上とする山形に成型された板状体であることを特徴とする。【選択図】図１
0003202796.tif 000002
【実用新案登録請求の範囲】
【請求項１】
棒状体を保持するホルダーであって、壁面若しくは床面や天井などに固定される基台と、当該基台に形成された断面Ｃの字状の溝と、Ｕの字の両先端が前記Ｃの字状溝の長手方向に移動できるように内包された複数のＵの字状の板バネと、前記Ｃの字状溝の両端を閉止して、前記板バネの当該溝からの脱落を阻止する止め部材とからなり、
互いに隣接するＵの字状の板バネ間に被保持部材を挟み込んで保持するようにしたことを特徴とするホルダー。
【請求項２】
請求項１に記載のホルダーにおいて、前記Ｕの字状の板バネは、自由状態で長手方向中央部を部分円弧状の頂上とする山形に成型された板状体であることを特徴とするホルダー。
【考案の詳細な説明】
【技術分野】
【０００１】  本考案は、電線やホース、ドライバーのような棒状工具、あるいは歯ブラシや毛髪ブラシのような柄のある用具などの棒状部分を有する部材を壁面や天井面あるいは床面に保持するためのホルダーに関する。
【背景技術】
【０００２】  従来この種ホルダーは、特許文献１から３に示すように、被保持物である電線などを挟みつけて連結する構造のものであり、一旦保持すると、蓋状の部材を取り外さなければ、保持状態を解除できなかった。
【先行技術文献】
【特許文献】
【０００３】
【特許文献１】特開平１１−１２２７５８号公報
【特許文献２】特開平７−２３１５３８号公報
【特許文献３】特開２００７−２８８７２号公報
【本考案の概要】
【本考案が解決した課題】
【０００４】  本考案は、このような問題を解決し、保持が確実に行えるのみならず、保持状態を解除するときもきわめて容易に行えるようにすることを目的とる。
【課題解決のための手段】
【０００５】  本考案１のホルダーは、壁面若しくは床面や天井などに固定される基台と、当該基台に形成された断面Ｃの字状の溝と、Ｕの字の両先端が前記Ｃの字状溝の長手方向に移動できるように内包された複数のＵの字状の板バネと、前記Ｃの字状溝の両端を閉止して、前記板バネの当該溝からの脱落を阻止する止め部材とからなり、
互いに隣接するＵの字状の板バネ間に被保持部材を挟み込んで保持するようにしたことを特徴とする。
【０００６】  本考案２は、本考案１のホルダーにおいて、前記Ｕの字状の板バネは、自由状態で長手方向中央部を部分円弧状の頂上とする山形に成型された板状体であることを特徴とする。
【本考案の効果】
【０００７】  本考案１により、保持される棒状体は、Ｕ字状板バネの側面間に挟まれることとなるが、この際、当該板バネの長手方向中央部よりその両端部に近づくほど弾性力が弱くなるので、被保持物をバネの端側（つまり基台側）に押しやるような力が生じることとなる。
その結果、保持物は、左右の板バネのみならず基台によっても保持され、三点にて挟持された強力な保持状態となる。
一方、この保持状態は、板バネの弾性によるものであり、例えば地震などにより電線などが引きちぎられるような強い力を受けた場合には、板バネが弾性変形し、上記のような保持状態を解除することとなり、電線の不足な切断による漏電などを未然に防止することもできる。
また、歯ブラシや工具などを保持するホルダーに用いた場合は、それぞれの器具を壁面などに垂直にして個別に所定の場所に整理保持することができるのみならず、使用時は、保持された器具を引き剥がすことで取り出すことが出来るようになる。
逆説的に説明すれば、本考案のホルダーは、蓋のような強力な脱落防止手段を敢えて用いず、必要な保持力を弾性挟持力によることとしたことにより、脱着が容易でありながら強力な保持力を有するホルダーを提供することが出来た。
さらに本考案２のようにすることで、板バネの両端を基台の溝に挿入するときに、その板バネをＵの字状に変形するのが容易であるのみならず、過剰な塑性変形を避けることができた。
【図面の簡単な説明】
【０００８】
【図１】本考案のホルダーの実施例１を示す図面で、図（Ａ）は左側面図、（Ｂ）は正面図。
【図２】図１に示す実施例１の止め部材（２０）を示す斜視図。
【図３】図１に示す実施例１の板バネ（３０）の自由状態の正面図。
【図４】図１に示す実施例１の基台（１０）を示す図面で、（Ａ）は（Ｂ）のＩ−Ｉ断面図、（Ｂ）は一部省略平面図。
【図５】図１に示す実施例１の保持状態を示す正面図。
【図６】止め部材（２０）の改良例を示す正面図。
【図７】板バネ（３０）の改良例を示す平面図。
【図８】板バネ（３０）のさらなる改良例を示す図面で、（Ａ）は底面図、（Ｂ）は正面図。
【図９】基台（１０）の改良例を示す図面で、（Ａ）は（Ｂ）のＩＩ−ＩＩ断面図、（Ｂ）は一部省略平面図。
【符号の説明】
【０００９】（１０）                  基台
（１１）                  Ｃの字状溝
（１２）                  開放部両側辺
（１３）                  逃げ溝
（１４）                  貫通孔
（１５）                  延長面
（１６）                  座面
（２０）                  止め部材
（２１）（２２）          嵌め込み部
（２３）                  側面支え部分
（２４）                  ネジ孔
（２５）                  延長面
（３０）                  板バネ
（３１）（３２）          嵌め込み部
（３２）                  嵌め込み部の凹入部分
（３５）                  リブ
（３６）                  棒状リブ
（３７）                  山形リブ
（３８）                  梁
（Ｐ１）（Ｐ２）（Ｐ３）  電線（被保持物）
（Ｓ）                    ネジ
【本考案を実施するための形態】
【００１０】  以下の実施例は、合成樹脂を用いたプラスチック成型加工技術により形成した例を示すが、これとは異なり金属板材を用いることも可能である。
この場合は、肉厚などが相当薄くできることより、より簡素な形状とすることが可能である。
【実施例１】
【００１１】  図１から図５を用いて実施例１を説明する。
基台（１０）は、図１中上方に開放側を向けたＣの字状の溝（１１）を形成してあり、溝（１１）の底面には、長手方向に沿って、ネジ（Ｓ）を挿入するための貫通孔（１４）が三箇所にわたって設けてある。
そして、その上面周囲には、前記ネジ（Ｓ）の頭部を没入させるための逃げ溝（１３）がそれぞれの貫通孔（１４）に設けてある。
このようにして、前記基台（１０）を壁面、床面、天井裏などの構造物にネジ（Ｓ）を用いて固定可能にしてある。
そして、固定状態でも、Ｃの字状溝（１１）内を板バネ（３０）の両端が長手方向に自由に移動できるように、前記ネジ（Ｓ）の頭部が逃げ溝（１３）内に没入し、Ｃの字状溝（１１）内に突入しないようにしてある。【００１２】  前記基台（１０）の両端には、前記Ｃの字状溝（１１）の両端を塞ぐ止め部材（２０）がネジ（Ｓ）によって固定してある。
この止め部材（２０）は、図２に示すように前記Ｃの字状溝（１１）の空間と同様な形状をもつ嵌め込み部分（２１）（２２）と基台（１０）から上方に突出して、板バネ（３０）の外側側面を支える側面支え部分（２３）とよりなる。また、中央には、基台（１０）に固定するためのネジ（Ｓ）を挿入するネジ孔（２４）が形成してある。【００１３】  前記止め部材（２０）の間には、逆Ｕの字状に弾性変形された複数の板バネ（３０）が直列状に配置されている。
この板バネ（３０）は、図３に示すように長手方向両端に、それぞれ前記止め部材（２０）の嵌め込み部（２１）（２２）と同様な側面形状を有する嵌め込み部（３１）（３２）を有しており、前記嵌め込み部の凹入部分（３２）には、前記Ｃの字状溝（１１）の開放部両側辺（１２）を挿入して、溝（１１）からの抜け出しを阻止しながら、溝（１０）内を、その長手方向に自由に移動できるように構成してある。
さらに、梁（３８）により自由状態で部分円弧状になるように長手方向中央部が成型されていて、全体がこの円弧部分を頂上とする山形となるように成型してある。
このようにして、基台（１０）のＣの字状溝（１１）に板バネ（３０）の嵌め込み部（２１）（２２）を嵌め込むにあたり、板バネ（３０）を不測に塑性変形せずに所定の曲率を持ったＵの字状に弾性変形できるようにしてある。【００１４】  以上のようにして構成してあるホルダーを例えば、電線の配線位置設定用のホルダーとして、住宅の天井なりに固定し、それに太さの違う電線（Ｐ１）（Ｐ２）（Ｐ３）を保持させた例を図５に示す。
電線はそれぞれ板バネ（３０）（３０）と基台（１０）との三点で挟まれて保持される。
なお、二本の電線（Ｐ２）（Ｐ３）を同じ板バネ間に挟み込んだ場合は、図５に示すように、二本が上下（板バネの長手方向）に位置して挟み込まれるようにして保持される。
そして、例えば、地震などにより上下左右に大きく揺れた場合は、電線が基台（１０）から浮き上がり左右いずれかに引っ張られるような力を受けると板バネ（３０）が弾性変形して、右又は左に倒れ電線が引き出されるようになる。
その結果、電線はホルダーによる束縛から解放され、引きちぎられるようなことが防止されることとなる。
【改良例】
【００１５】  前記実施例を用いた電線ホルダーの場合、板バネ（３０）の倒れ込みを困難にし、地震などの不測の揺れなどを受けても容易には外れないようにするには、前記止め部材（２０）による板バネ（３０）の支えをより高い（基台から離れる方向）位置にすればよい。
図６に示す止め部材（２０）では、側面支え部分（２３）の上端を上方に延長した延長面（２５）を有さしめ、板バネ（３０）の横倒れを防止してある。
また、このような構造は、例えば枝つきの工具や歯ブラシなどの日用品を壁面などに保持させるために用いる場合に、不測にこれら被保持物が脱落しないようになり、有用である。
【００１６】  板バネ（３０）は、図３に示すような山形にしなくとも、図７に示すような平板状であっても良い。
当該板バネ（３０）の長さＬや幅Ｗあるいは厚さＴは、要求される弾性力や被保持物との必要な接触面積などで決定することができる。（前記図３の山形板バネも含む）
例えば、直線状の長い棒状のものをしっかりと保持する場合は、幅Ｗを出来るだけ広くし、長い接触面で保持するのが好ましい。
また、太さが異なる被保持物を同じホルダーに保持させる場合は、長さＬを長くし、いずれの太さのものでも、左右からの接触圧を十分に受けられるようにするのが好ましい。
この場合、Ｕ字状の弾性力が、その変形の度合いによっても大きく変わらないようにするには、長さＬに比例して厚さＴを厚くして、板バネの弾性力を大きくするようにするのが好ましい。
この弾性力の増加については、図８に示すように板バネの中央部の幅を広くするリブ（３５）を設けること、長手方向に沿って存在する棒状リブ（３６）を設けること、当該棒状リブ（３６）の中央部に盛上がる山形リブ（３７）を形成することによっても達成可能であり、図８に示すように、これらを同時に実施することも可能であるが、必要に応じ、これらの一部を実施すればよい。
【００１７】  基台（１０）を他のものに固定するための構造として、実施例１ではＣの字状溝（１１）の底面にネジ孔（１４）を形成したが、このような構造では、ネジ（Ｓ）の頭部がＣの字状溝（１１）内に突入しないようにする構造が必要であり、その構造故にネジ（Ｓ）の大きさが制限され、より強固に固定したい場合、あるいは、基台（１０）の肉厚がより薄いもの（例えば、薄い鉄板などにより構成する場合）である場合は、実用的に構成不可能となる。
このようない問題を解決する方法として図９に示すような改良が可能である。
当該改良は基台（１０）の長手方向の両側に延長面（１５）を設け、それにネジ孔（１４）を形成し、これにネジ（Ｓ）を通して壁面などに固定できるようにしたものである。
座面（１６）は、延長面（１５）の補強のために、ネジ（Ｓ）の頭部により押さえつけられる部分を肉厚にするもので、延長面（１５）を補強するものである。
なお、基台（１０）を壁面等に固定する手段は、ネジ止めに限らず、接着剤や粘着剤による接着、吸盤や磁石などを用いた吸着、釘打ちなども可能であり、ネジ止め以外の場合は、ネジ孔などを必ずしも必要でないので、より簡素な構造でも実施可能である。
【図１】
0003202796.tif 000003
【図２】
0003202796.tif 000004
【図３】
0003202796.tif 000005
【図４】
0003202796.tif 000006
【図５】
0003202796.tif 000007
【図６】
0003202796.tif 000008
【図７】
0003202796.tif 000009
【図８】
0003202796.tif 000010
【図９】
0003202796.tif 000011